【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
被包装部材を収納する中空直方体形状の外装と、
前記外装内部に前記被包装部材を挿入する開口部と、
前記開口部の一辺に設けられ、山型に折り曲げる折曲部と前記開口部に対向する前記外装の側面に取り付けられる端部を有する蓋部とを具備し、
前記蓋部が、前記開口部を覆う方向に折曲げられ、前記蓋部の設けられた前記開口部の一辺に対向する他辺から前記折曲部を前記外装内部に折曲げて挿入して組み立てられることにより包装用として機能し、かつ、前記蓋部が、前記開口部を覆わない方向に折曲げられ、前記折曲部を山型に折り返して前記外装の外周に曲げられて組み立てられることにより前記外装の前記開口部を有する面と前記蓋部の蓋板を底面として直立する据え置き陳列用として機能することを特徴とする包装用箱。
【請求項２】
前記開口部に対向する前記外装の側面は、たすき状に折込んで組立てられることにより異なる方向に一組の隙間を有し、及び、前記蓋部の端部は、前記異なる方向に設けられた一組の隙間にそれぞれ挿入される一組の舌片を有し、
前記蓋部が前記開口部を覆う場合は、前記一組の舌片の一方が前記一組の隙間の一方に挿入されて前記蓋部が前記外装の側面に取付けられ、
前記蓋部が前記開口部を覆わない場合は、前記一組の舌片の他方が前記一組の隙間の他方に挿入されて前記蓋部が前記外装の側面に取付けられることを特徴とする請求項１記載の包装用箱。
【請求項３】
前記蓋部は、前記蓋部の一部を前記開口部の方向に山型に折曲げる付加領域を有し、前記折曲部は前記付加領域からなることを特徴とする請求項１記載の包装用箱。
【請求項４】
前記蓋部の表面は、前記蓋部が前記開口部を覆うように前記外装に取付けられた場合に、前記外装内部に収納された被包装部材の販売用の表示を設けていることを特徴とする請求項１記載の包装用箱。
【請求項５】
前記蓋部の裏面は、前記蓋部が前記開口部を覆わない方向で前記外装に取付けられた場合に、前記外装内部に収納された被包装部材の展示用の表示を設けていることを特徴とする請求項１記載の包装用箱。
【請求項６】
前記外装は、前記蓋部の前記折曲部が挿入される開口部に、補強片を備えたことを特徴とする請求項１記載の包装用箱。
【請求項７】
前記外装は、前記蓋部が前記開口部を覆うように前記外装に取付けられた場合に前記蓋部で覆われる外装の表面に、前記外装内部に収納された被包装部材の取扱に関する情報を表示することを特徴とする請求項１記載の包装用箱。
【手続補正２】
【補正対象書類名】明細書
【補正対象項目名】００１２
【補正方法】変更
【補正の内容】
【００１２】
かかる課題を解決するため本発明は、山型に折り曲げる折曲部と開口部に対向する外装の側面に取り付けられる端部を有する蓋部とを具備し、蓋部が、開口部を覆う方向に折曲げられ、蓋部の設けられた開口部の一辺に対向する他辺から折曲部を外装内部に折曲げて挿入して組み立てられることにより包装用として機能し、かつ、蓋部が、開口部を覆わない方向に折曲げられ、折曲部を山型に折り返して外装の外周に折曲げ組み立てられることにより据え置き陳列用として機能することを特徴とする包装用箱である。
【手続補正３】
【補正対象書類名】明細書
【補正対象項目名】００１３
【補正方法】変更
【補正の内容】
【００１３】
本発明の包装用箱によれば、蓋部が、開口部を覆う方向に折曲げられ、蓋部の設けられた開口部の一辺に対向する他辺から折曲部を外装内部に折曲げて挿入して組み立てられることにより包装用として機能し、かつ、蓋部が、開口部を覆わない方向に折曲げられ、折曲部を山型に折り返して外装の外周に折曲げ組み立てられることにより外装の開口部を有する面と蓋部の蓋板を底面として直立する据え置き陳列用として機能することにより、被包装部材の保護強化とともに、出荷元で供給するときは表示部を包装用箱に固定してコンパクトにして出荷し、店頭で表示するときは表示部を開いて商品のディスプレ効果を高め、従って出荷元にて供給する単一種類の包装箱でもって、配送に適した梱包および店頭での据え置き陳列の機能に転換・対応させることが可能である。
【手続補正４】
【補正対象書類名】明細書
【補正対象項目名】００１５
【補正方法】変更
【補正の内容】
【００１５】
請求項１記載の発明は、被包装部材を収納する中空直方体形状の外装と、外装内部に被包装部材を挿入する開口部と、開口部の一辺に設けられ、山型に折り曲げる折曲部と開口部に対向する外装の側面に取り付けられる端部を有する蓋部とを具備し、蓋部が、開口部を覆う方向に折曲げられ、蓋部の設けられた開口部の一辺に対向する他辺から折曲部を外装内部に折曲げて挿入して組み立てられることにより包装用として機能し、かつ、蓋部が、開口部を覆わない方向に折曲げられ、折曲部を山型に折り返して外装の外周に曲げられて組み立てられることにより外装の開口部を有する面と蓋部の蓋板を底面として直立する据え置き陳列用として機能することを特徴とする包装用箱である。
【手続補正５】
【補正対象書類名】明細書
【補正対象項目名】００１６
【補正方法】変更
【補正の内容】
【００１６】
この構成によれば、被包装部材の保護強化とともに、出荷元で供給するときは表示部を包装用箱に固定してコンパクトにして出荷し、店頭で表示するときは表示部を開いて商品のディスプレ効果を高め、従って出荷元にて供給する単一種類の包装箱でもって、配送に適した梱包および店頭での据え置き陳列の機能に転換・対応させることが可能である。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
請求項２記載の発明は、請求項１記載の包装用箱において、開口部に対向する外装の側面は、たすき状に折込んで組立てられることにより異なる方向に一組の隙間を有し、及び、蓋部の端部は、異なる方向に設けられた一組の隙間にそれぞれ挿入される一組の舌片を有し、蓋部が開口部を覆う場合は、一組の舌片の一方が一組の隙間の一方に挿入されて蓋部が外装の側面に取付けられ、蓋部が開口部を覆わない場合は、一組の舌片の他方が一組の隙間の他方に挿入されて蓋部が外装の側面に取付けたものである。
【手続補正９】
【補正対象書類名】明細書
【補正対象項目名】００２３
【補正方法】変更
【補正の内容】
【００２３】
請求項３記載の発明は、請求項１記載の包装用箱において、蓋部は、蓋部の一部を開口部の方向に山型に折曲る付加領域を有し、折曲部は付加領域からなるものである。
【手続補正１０】
【補正対象書類名】明細書
【補正対象項目名】００２５
【補正方法】変更
【補正の内容】
【００２５】
請求項４記載の発明は、請求項１記載の包装用箱において、蓋部の表面は、蓋部が開口部を覆うように外装に取付けられた場合に、外装内部に収納された被包装部材の販売用の表示部を設けたものである。
【手続補正１１】
【補正対象書類名】明細書
【補正対象項目名】００２７
【補正方法】変更
【補正の内容】
【００２７】
請求項５記載の発明は、請求項１記載の包装用箱において、蓋部の裏面は、蓋部が開口部を覆わない方向で外装に取付けられた場合に、外装内部に収納された被包装部材の展示用の表示を設けたものである。
【手続補正１２】
【補正対象書類名】明細書
【補正対象項目名】００２９
【補正方法】変更
【補正の内容】
【００２９】
請求項６記載の発明は、請求項１記載の包装用箱において、外装は、蓋部の折曲部が挿入される開口部に、補強片を備えたものである。
【手続補正１３】
【補正対象書類名】明細書
【補正対象項目名】００３１
【補正方法】変更
【補正の内容】
【００３１】
請求項７記載の発明は、請求項１記載の包装用箱において、外装は、蓋部が開口部を覆うように外装に取付けられた場合に蓋部で覆われる外装の表面に、外装内部に収納された被包装部材の取扱に関する情報を表示するものである。